(57)【要約】【課題】印刷指示の実行中に確認用シートを排出して他の用紙と同じ集積部に集積する場合に、確認用シートを他の用紙と識別可能に集積するようにした情報制御装置、印刷システム及びプログラムを提供する。【解決手段】プリントサーバ３は、印刷指示に従い、給紙部２０から給紙され印刷された用紙を排出して集積部に集積するプリンタ２を制御する情報制御装置であって、プリンタ２が印刷指示の実行中にサンプルシート２０２を排出する場合、サンプルシート２０２の用紙として集積部に集積したときに他の用紙２０１からはみ出る用紙を給紙するよう給紙部２０を制御するプリンタ制御部３０を備える。【選択図】図３
2019096214.tif 000002
【特許請求の範囲】
【請求項１】
印刷指示に従い、給紙部から給紙され印刷された用紙を排出して集積部に集積する印刷装置を制御する情報制御装置であって、
前記印刷装置が前記印刷指示の実行中に確認用シートを排出する場合、前記確認用シートの用紙として前記集積部に集積したときに他の用紙からはみ出る用紙を給紙するよう前記給紙部を制御する制御部を備えた情報制御装置。
【請求項２】
前記他の用紙からはみ出る用紙は、それまで使用していた用紙とは搬送方向に対する向きが異なる用紙、又は前記それまで使用していた用紙よりもサイズが大きい用紙である、
請求項１に記載の情報制御装置。
【請求項３】
前記確認用シートの用紙が予め定められた特定の紙種の場合、前記制御部は、前記確認用シートの用紙の使用を禁止するよう制御する、
請求項１又は２に記載の情報制御装置。
【請求項４】
前記確認用シートの用紙が予め定められた特定の紙種の場合、前記制御部は、予め指定された他の紙種の用紙を給紙するよう前記給紙部を制御する、
請求項１又は２に記載の情報制御装置。
【請求項５】
前記特定の紙種が一部が突出した用紙の場合、前記制御部は、前記一部に印刷する情報を、指定された前記他の紙種の用紙に印刷するよう制御する、
請求項４に記載の情報制御装置。
【請求項６】
前記他の紙種の用紙は、前記特定の紙種以外で前記それまで使用していた用紙、又は前記一部を包含する大きさの用紙である、
請求項５に記載の情報制御装置。
【請求項７】
前記確認用シートの用紙を設定する設定画面を表示する設定部、をさらに備え、
前記制御部は、前記設定部によって設定された前記確認用シートの用紙を給紙するよう前記給紙部を制御する、
請求項１から６のいずれか１項に記載の情報制御装置。
【請求項８】
前記設定画面において、前記それまで使用していた用紙とは搬送方向に対する向きが異なる用紙、及び前記それまで使用していた用紙よりもサイズが大きい用紙の両方が設定された場合、前記制御部は、前記搬送方向に対する向きが異なる用紙を優先的に給紙するよう前記給紙部を制御する、
請求項７に記載の情報制御装置。
【請求項９】
前記確認用シートに対応するページが白紙の場合、前記制御部は、前記確認用シートの用紙を用いるか否かを確認する画面を表示する、
請求項１から８のいずれか１項に記載の情報制御装置。
【請求項１０】
前記集積部に集積したときに他の用紙からはみ出る用紙が前記給紙部に存在しない場合、前記制御部は、それまで使用していた用紙を使用するか否かを確認する画面を表示する、
請求項１から９のいずれか１項に記載の情報制御装置。
【請求項１１】
前記制御部は、前記確認用シートの用紙として前記それまで使用していた用紙を用いる場合、前記それまで使用していた用紙を前記それまで使用していた用紙とは異なる集積部に排出するよう制御する、
請求項１０に記載の情報制御装置。
【請求項１２】
前記確認用シートの用紙の排出先が予め定められた特定の集積部であって、前記特定の集積部が印刷指示で指定された集積部と同じ場合には、前記制御部は、前記確認用シートの用紙を前記特定の集積部に排出した後、前記印刷指示に基づく印刷を一時停止するよう制御する、
請求項１から１０のいずれか１項に記載の情報制御装置。
【請求項１３】
印刷指示に従い、給紙部から給紙され印刷された用紙を排出して集積部に集積する印刷装置と、
前記印刷装置が前記印刷指示の実行中に確認用シートを排出する場合、前記確認用シートの用紙として前記集積部に集積したときに他の用紙からはみ出る用紙を給紙するよう前記給紙部を制御する制御部と、
を備えた印刷システム。
【請求項１４】
印刷指示に従い、給紙部から給紙され印刷された用紙を排出して集積部に集積する印刷装置を制御するコンピュータを、
前記印刷装置が前記印刷指示の実行中に確認用シートを排出する場合、前記確認用シートの用紙として前記集積部に集積したときに他の用紙からはみ出る用紙を給紙するよう前記給紙部を制御する制御部、
として機能させるためのプログラム。
【発明の詳細な説明】
【技術分野】
【０００１】
本発明は、情報制御装置、印刷システム及びプログラムに関する。
【背景技術】
【０００２】
近年、排紙トレイ上での印刷書類の混在を防ぐようにした印刷装置が提案されている（例えば、特許文献１参照。）。
【０００３】
特許文献１に記載された印刷装置は、実行対象の印刷ジョブで指定された排紙トレイに用紙が積載されている場合に、上記実行対象の印刷ジョブで指定された排紙トレイと同じ排紙トレイが指定され、かつ、上記実行対象の印刷ジョブより後に印刷が実行される後続の印刷ジョブが存在する場合には、上記実行対象の印刷ジョブによる用紙の排出先を、上記実行対象の印刷ジョブで指定された排紙トレイから他の排紙トレイに変更するように制御を行う制御部を備える。
【先行技術文献】
【特許文献】
【０００４】
【特許文献１】特開２０１３−５２５９３号公報
【発明の概要】
【発明が解決しようとする課題】
【０００５】
印刷指示の実行中に確認ページを印刷した確認用シートを出力する際に、確認用シートを他の用紙とともに集積すると、確認用シートの位置が分かりにくい場合がある。
【０００６】
本発明の課題は、印刷指示の実行中に確認用シートを排出して他の用紙と同じ集積部に集積する場合に、確認用シートを他の用紙と識別可能に集積するようにした情報制御装置、印刷システム及びプログラムを提供することにある。
【課題を解決するための手段】
【０００７】
［１］印刷指示に従い、給紙部から給紙され印刷された用紙を排出して集積部に集積する印刷装置を制御する情報制御装置であって、
前記印刷装置が前記印刷指示の実行中に確認用シートを排出する場合、前記確認用シートの用紙として前記集積部に集積したときに他の用紙からはみ出る用紙を給紙するよう前記給紙部を制御する制御部を備えた情報制御装置。
［２］前記他の用紙からはみ出る用紙は、それまで使用していた用紙とは搬送方向に対する向きが異なる用紙、又は前記それまで使用していた用紙よりもサイズが大きい用紙である、前記［１］に記載の情報制御装置。
［３］前記確認用シートの用紙が予め定められた特定の紙種の場合、前記制御部は、前記確認用シートの用紙の使用を禁止するよう制御する、前記［１］又は［２］に記載の情報制御装置。
［４］前記確認用シートの用紙が予め定められた特定の紙種の場合、前記制御部は、予め指定された他の紙種の用紙を給紙するよう前記給紙部を制御する、前記［１］又は［２］に記載の情報制御装置。
［５］前記特定の紙種が一部が突出した用紙の場合、前記制御部は、前記一部に印刷する情報を、指定された前記他の紙種の用紙に印刷するよう制御する、前記［４］に記載の情報制御装置。
［６］前記他の紙種の用紙は、前記特定の紙種以外で前記それまで使用していた用紙、又は前記一部を包含する大きさの用紙である、前記［５］に記載の情報制御装置。
［７］前記確認用シートの用紙を設定する設定画面を表示する設定部、をさらに備え、
前記制御部は、前記設定部によって設定された前記確認用シートの用紙を給紙するよう前記給紙部を制御する、前記［１］から［６］のいずれかに記載の情報制御装置。
［８］前記設定画面において、前記それまで使用していた用紙とは搬送方向に対する向きが異なる用紙、及び前記それまで使用していた用紙よりもサイズが大きい用紙の両方が設定された場合、前記制御部は、前記搬送方向に対する向きが異なる用紙を優先的に給紙するよう前記給紙部を制御する、前記［７］に記載の情報制御装置。
［９］前記確認用シートに対応するページが白紙の場合、前記制御部は、前記確認用シートの用紙を用いるか否かを確認する画面を表示する、前記［１］から［８］のいずれかに記載の情報制御装置。
［１０］前記集積部に集積したときに他の用紙からはみ出る用紙が前記給紙部に存在しない場合、前記制御部は、それまで使用していた用紙を使用するか否かを確認する画面を表示する、前記［１］から［９］のいずれかに記載の情報制御装置。
［１１］前記制御部は、前記確認用シートの用紙として前記それまで使用していた用紙を用いる場合、前記それまで使用していた用紙を前記それまで使用していた用紙とは異なる集積部に排出するよう制御する、前記［１０］に記載の情報制御装置。
［１２］前記確認用シートの用紙の排出先が予め定められた特定の集積部であって、前記特定の集積部が印刷指示で指定された集積部と同じ場合には、前記制御部は、前記確認用シートの用紙を前記特定の集積部に排出した後、前記印刷指示に基づく印刷を一時停止するよう制御する、前記［１］から［１０］のいずれかに記載の情報制御装置。
［１３］印刷指示に従い、給紙部から給紙され印刷された用紙を排出して集積部に集積する印刷装置と、
前記印刷装置が前記印刷指示の実行中に確認用シートを排出する場合、前記確認用シートの用紙として前記集積部に集積したときに他の用紙からはみ出る用紙を給紙するよう前記給紙部を制御する制御部と、を備えた印刷システム。
［１４］印刷指示に従い、給紙部から給紙され印刷された用紙を排出して集積部に集積する印刷装置を制御するコンピュータを、
前記印刷装置が前記印刷指示の実行中に確認用シートを排出する場合、前記確認用シートの用紙として前記集積部に集積したときに他の用紙からはみ出る用紙を給紙するよう前記給紙部を制御する制御部、として機能させるためのプログラム。
【発明の効果】
【０００８】
請求項１、２、１３、１４に係る発明によれば、印刷指示の実行中に確認用シートを排出して他の用紙と同じ集積部に集積する場合に、確認用シートを他の用紙と識別可能に集積することができる。
請求項３、４に係る発明によれば、確認用シートを排出することで、その後の出力順序が狂うことを抑制することができる。
請求項５、６に係る発明によれば、特定の紙種の一部に印刷される情報を他の紙種の用紙に印刷することができる。
請求項７、８に係る発明によれば、確認用シートの用紙をユーザが決めることができる。
請求項９に係る発明によれば、無駄紙の発生を抑制することが可能になる。
請求項１０に係る発明によれば、確認用シートに使用する用紙の用紙切れに対応することができる。
請求項１１に係る発明によれば、排出先の違いにより、確認用シートを他の用紙と識別することができる。
請求項１２に係る発明によれば、印刷を一時停止することで、確認用シートが排出されたことが分かる。
【図面の簡単な説明】
【０００９】
【図１】図１は、本発明の第１の実施の形態に係る印刷システムの構成例を示す図である。
【図２】図２は、プリントサーバの制御系の一例を示すブロック図である。
【図３】図３は、サンプルシートの挿入例を示す図である。
【図４】図４は、サンプルシートの挿入例を示す図である。
【図５】図５は、モニタに表示される画面の一例を示す図である。
【図６】図６は、第１の実施の形態に係るプリントサーバの動作の一例を示すフローチャートである。
【図７】図７は、モニタに表示される画面の一例を示す図である。
【図８】図８は、モニタに表示される確認画面の一例を示す図である。
【図９】図９は、本発明の第２の実施の形態に係るプリントサーバの動作の一例を示すフローチャートである。
【図１０】図１０は、変形例１としてサンプルプリントの設定画面の一例を示す図である。
【図１１】図１１は、変形例２としてサンプルプリントの設定画面の一例を示す図である。
【図１２】図１２は、変形例３としての警告画面の一例を示す図である。
【図１３】図１３（ａ）〜（ｃ）は、変形例４を説明するための図である。
【発明を実施するための形態】
【００１０】
以下、本発明の実施の形態について図面を参照して説明する。なお、各図中、実質的に同一の機能を有する構成要素については、同一の符号を付してその重複した説明を省略する。
【００１１】
［実施の形態の要約］
本実施の形態に係る情報制御装置は、印刷指示に従い、給紙部から給紙され印刷された用紙を排出して集積部に集積する印刷装置を制御する情報制御装置であって、印刷装置が印刷指示の実行中に確認用シートを排出する場合、確認用シートの用紙として集積部に集積したときに他の用紙からはみ出る用紙を給紙するよう給紙部を制御する制御部を備える。
【００１２】
確認用シート（以下、サンプルシートともいう。）は、印刷指示（以下、印刷ジョブともいう。）に含まれるページのうち確認ページがサンプルとして印刷（以下、サンプルプリントともいう。）され、又は印刷されずに排出されて集積部に集積される。
【００１３】
サンプルシートを印刷する場合としては、例えば、印刷ジョブの実行中に障害、用紙切れ等が発生して印刷が一時停止した場合、ユーザの指示により印刷ジョブの実行が一時停止した場合、印刷を停止せずにユーザの操作に応じて印刷ジョブ中にサンプルシートを挿入する場合等がある。
【００１４】
確認ページは、例えば、サンプルシートにサンプルとして印刷された後、これに続いてそれまで使用していた用紙にも印刷されて集積部に集積される。なお、サンプルシートにサンプルとして印刷する確認ページは、１ページに限られず、連続した複数ページでもよい。また、印刷ジョブの実行中に障害、用紙切れ等が発生して印刷が一時停止した場合に排出されるサンプルシートは、障害等が発生した箇所を分かり易く示す目的で排出されることもあるので、白紙や予め定められたエラー排出用のデータが印刷されたシートを排出することとしてもよい。
【００１５】
サンプルシートの用紙として集積部に集積したときに他の用紙からはみ出る用紙は、例えば、それまで使用していた用紙とは搬送方向に対する向きが異なる用紙、それまで使用していた用紙よりもサイズが大きい用紙、すなわち搬送方向又はこの方向に直交する方向のサイズが大きい用紙でもよく、それまで使用していた用紙と同じサイズの用紙を搬送方向又はこの方向に直交する方向にずらして集積してもよい。
【００１６】
［第１の実施の形態］
図１は、本発明の第１の実施の形態に係る印刷システムの構成例を示す図である。この印刷システム１は、印刷処理を行うプリンタ２と、プリンタ２を制御するプリントサーバ３と、プリントサーバ３に接続され、モニタ４Ａ及び入力デバイス４Ｂから構成されたユーザ表示部４と、複数の端末装置としてのパーソナルコンピュータ（ＰＣ）６とを備える。プリンタ２は、印刷装置の一例である。プリントサーバ３は、情報制御装置の一例である。
【００１７】
プリントサーバ３及びＰＣ６は、例えば、インターネット８に接続されたＬＡＮ（ローカル・エリア・ネットワーク）等のネットワーク７によって互いに接続されている。プリンタ２とプリントサーバ３とは、例えば、ＬＡＮ等のネットワーク９を介して接続されている。
【００１８】
プリンタ２は、用紙を印刷部２１に給紙する給紙部２０と、印刷部２１により印刷された用紙に後処理を施す後処理装置２２と、印刷された用紙を排出する複数の排出先とを備える。給紙部２０は、複数の給紙トレイ２０ａを有する。複数の給紙トレイ２０ａの一つとして、予め出力順序が定められたインデックス紙の用紙のみを収容した専用の給紙トレイ２０ａを用いてもよい。インデックス紙とは、一部が突出した用紙であって、一部に情報が印刷される用紙をいう。なお、プリンタ２は、後処理装置を備えていない構成でもよい。排出先は、集積部の一例である。
【００１９】
プリンタ２が有する排出先には、例えば、スタッカートレイ１（２３Ａ）、スタッカートレイ２（２３Ｂ）、スタッカー排出トレイ１（２４Ａ）、スタッカー排出トレイ２（２４Ｂ）、フィニッシャートレイ２５、フィニッシャー排出トレイ２６、及び外部フィニッシャー２７等がある。スタッカートレイ２３Ａ、２３Ｂ及びフィニッシャートレイ２５は、大量の印刷物を集積可能に構成されている。スタッカー排出トレイ２４及びフィニッシャー排出トレイ２６は、プリンタ２の上部に設けられたトップトレイであり、少量の印刷物を集積可能に構成されている。トップトレイは、特定の集積部の一例である。
【００２０】
プリントサーバ３は、ＰＣ６からネットワーク７を介して送信された印刷ジョブを受け取り、ネットワーク９を介してプリンタ２にその印刷ジョブに従った印刷を行わせるための制御を行う。すなわち、プリントサーバ３は、例えば、ＰＣ６から送信される印刷ジョブの印刷順序を管理するとともに、印刷ジョブに含まれる印刷データをプリンタ２が処理可能な画像データに変換する処理を行う。
【００２１】
ユーザ表示部４のモニタ４Ａは、液晶ディスプレイ、有機ＥＬディスプレイ等のディスプレイを用いることができる。ユーザ表示部４の入力デバイス４Ｂは、マウス、キーボード等を用いることができる。なお、モニタ４Ａは、入力と表示が可能なタッチパネルモニタでもよい。この場合、入力デバイス４Ｂを省いてもよい。
【００２２】
（プリントサーバの構成）
図２は、プリントサーバ３の制御系の一例を示すブロック図である。プリントサーバ３は、プリンタ制御部３０、記憶部３１、ジョブ制御部３２、画像処理部３３、ビデオＩ／Ｆ（インターフェース）３４、入力Ｉ／Ｆ（インターフェース）３５、ネットワークＩ／Ｆ（インターフェース）３６Ａ、３６Ｂ等を含んで構成されている。プリンタ制御部３０は、制御部の一例である。
【００２３】
プリンタ制御部３０は、ＣＰＵ（Central Processing Unit）、インターフェース、メモリ等から構成されている。ＣＰＵは、記憶部３１に記憶されているプログラム３１０に従って動作することにより、設定手段３０１、受付手段３０２、トレイ制御手段３０３等として機能する。各手段３０１〜３０３の詳細については、後述する。設定手段３０１は、設定部の一例である。
【００２４】
また、プリンタ制御部３０は、プリンタ２から障害発生時に障害の内容を示す障害情報の通知を受ける。これにより、印刷ジョブは一時停止する。プリンタ２における障害が解消すると、プリンタ制御部３０は、プリンタ２から障害が解消したことを示す解消情報の通知を受ける。
【００２５】
記憶部３１は、ＲＯＭ（Read Only Memory）、ＲＡＭ（Random Access Memory）、ハードディスク等から構成され、プログラム３１０やトレイ情報３１１、サンプルプリント設定情報３１２等の各種の情報が記憶されている。
【００２６】
トレイ情報３１１は、プリンタ２が有する給紙トレイ２０ａ及び排出先の情報を含む。給紙トレイ２０ａの情報は、例えば、給紙トレイ２０ａの名称等の識別情報と、給紙トレイ２０ａの識別情報に対応して給紙トレイ２０ａに収容されている用紙の紙種（種類ともいう。）、サイズ、用紙の搬送方向に対する向き等の用紙に関する情報とを含む。排出先の情報は、例えば、排出先の名称等の識別情報を含む。
【００２７】
サンプルプリント設定情報３１２は、サンプルシートに使用する用紙の紙種、サイズ、搬送方向に対する用紙向き、給紙トレイ、排出先等を含む。
【００２８】
ジョブ制御部３２は、ＰＣ６から印刷ジョブを受信し、印刷ジョブの印刷順序を管理するとともに、プリンタ制御部３０に印刷ジョブの実行を指示する。印刷ジョブは、例えば、ヘッダ情報と、これに続く印刷データとから構成されている。印刷データは、文書データをプリンタ２が解釈可能なページ記述言語（例えば、ＰＤＬ：Page Description Language）で記述したページ単位のデータである。ヘッダ情報は、給紙トレイ、排出先、印刷制御情報等を含む。
【００２９】
画像処理部３３は、印刷データに対して、プリンタ２の印刷に必要な画像処理を行う。このような画像処理として、例えば、ＰＤＬの解釈処理、ＰＤＬで記述された印刷データをラスターデータからなる画像データに変換するＲＩＰ（Raster Image Processor）処理等を行う。
【００３０】
設定手段３０１は、印刷ジョブが一時停止し、プリンタ２から障害情報の通知を受けた後、障害解消情報の通知を受けると、サンプルシートの用紙を設定する設定画面をモニタ４Ａに表示し、入力デバイス４Ｂを操作して設定された設定内容をサンプルプリント設定情報３１２として記憶部３１に記憶する。なお、サンプルプリント設定情報３１２は、印刷が一時停止する前に予め設定されてもよい。
【００３１】
受付手段３０２は、印刷ジョブが一時停止した際に、ユーザ表示部４からサンプルプリントの実行指示を受け付ける。
【００３２】
トレイ制御手段３０３は、プリンタ２との間で通信することによりプリンタ２が有するトレイ情報３１１を取得し、記憶部３１に記憶する。また、トレイ制御手段３０３は、記憶部３１に記憶されたサンプルプリント設定情報３１２に従い、サンプルシートの用紙を給紙する給紙トレイ、及び排出先の指示をプリンタ２に対して行う。
【００３３】
トレイ制御手段３０３は、プリンタ２が印刷ジョブの実行中にサンプルシートを印刷する場合、サンプルシートの用紙として集積部に集積したときに他の用紙からはみ出る用紙を給紙するよう給紙部２０を制御する。すなわち、トレイ制御手段３０３は、サンプルシートの用紙として、例えば、設定手段３０１により設定された用紙、それまで使用していた用紙とは搬送方向に対する向きが異なる用紙、又はそれまで使用していた用紙よりもサイズが大きい用紙を用いる。
【００３４】
トレイ制御手段３０３は、サンプルシートに対応するページが白紙の場合、サンプルシートの用紙を用いるか否かを確認する画面をモニタ４Ａに表示するよう制御してもよい。
【００３５】
トレイ制御手段３０３は、集積部に集積したときに他の用紙からはみ出る用紙が給紙トレイ２０ａに存在しない場合は、それまで使用していた用紙を使用するか否かを確認する画面をモニタ４Ａに表示してもよい。また、トレイ制御手段３０３は、サンプルシートの用紙としてそれまで使用していた用紙を用いる場合、それまで使用していた用紙をそれまで使用していた用紙とは異なる集積部に排出するよう制御してもよい。
【００３６】
トレイ制御手段３０３は、サンプルシートの用紙の排出先が予め定められた特定の集積部（例えば、トップトレイ）であって、特定の集積部が印刷ジョブで指定された集積部と同じ場合には、サンプルシートの用紙を特定の集積部に排出した後、印刷ジョブの実行を一時停止するよう制御してもよい。
【００３７】
（第１の実施の形態の動作）
次に、第１の実施の形態に係る印刷システム１の動作の一例を図３〜図６を参照して説明する。図６は、プリントサーバ３の動作の一例を示すフローチャートである。
【００３８】
何らかの理由（故障、用紙切れ等）で印刷ジョブが一時停止した際に、プリントサーバ３の設定手段３０１は、サンプルプリントの設定を受け付ける。設定されたサンプルプリント設定情報３１２は、記憶部３１に記憶される。受付手段３０２は、モニタ４Ａにサンプルプリントの実行指示を受け付ける画面を表示する。
【００３９】
ユーザがモニタ４Ａに表示された画面に対し、入力デバイス４Ｂを操作してサンプルプリントの実行指示を行うと、受付手段３０２は、サンプルプリントの実行指示を受け付ける（Ｓ１）。
【００４０】
トレイ制御手段３０３は、印刷ジョブで設定された排出先がトップトレイに設定されているか否かを印刷ジョブのヘッダ情報を参照して判断する（Ｓ２）。トップトレイに設定されていなければ（Ｓ２：Ｎｏ）、トレイ制御手段３０３は、印刷ジョブで設定されている給紙トレイ２０ａから用紙をサンプルシートとして給紙して印刷された後、トップトレイに排出するよう制御する（Ｓ３）。サンプルシートは、確認ページが印刷され、サンプルシートの排出先としてサンプルプリント設定情報３１２で予め指定されたトップトレイ、例えば、フィニッシャー排出トレイ２６に排出される。
【００４１】
印刷ジョブで設定された排出先がトップトレイに設定されている場合は（Ｓ２：Ｙｅｓ）、トレイ制御手段３０３は、現在の用紙、すなわちそれまで使用していた用紙と同一サイズで、搬送方向に対する用紙の向きが現在の向きと異なる用紙の給紙トレイ２０ａが存在するか否かをトレイ情報３１１を参照して判断する（Ｓ４）。すなわち、現在の搬送方向に対する用紙の向きが縦送りのＳＥＦ（Short Edge Feed）であれば、横送りのＬＥＦ（Long Edge Feed）の用紙の給紙トレイ２０ａが存在するか否かを判断し、現在の用紙の向きがＬＥＦであれば、ＳＥＦの用紙の給紙トレイ２０ａが存在するか否かを判断する。
【００４２】
現在の用紙と同一サイズで、搬送方向に対する用紙の向きが現在の向きと異なる用紙の給紙トレイ２０ａが存在する場合は（Ｓ４：Ｙｅｓ）、トレイ制御手段３０３は、対応する給紙トレイ２０ａから用紙をサンプルシートとして給紙するよう制御する（Ｓ５）。
【００４３】
図３は、現在の用紙２０１の向きがＬＥＦの場合に、ＳＥＦの用紙のサンプルシート２０２を挿入した状態を示す図である。印刷された用紙を同一の排出先に集積したとき、サンプルシート２０２は、他の用紙２０１よりも搬送方向Ａに長いため、サンプルシート２０２の位置が分かる。
【００４４】
現在の用紙２０１と同一サイズで、搬送方向Ａに対する用紙２０１の向きが現在の向きと異なる用紙２０１の給紙トレイ２０ａが存在しない場合は（Ｓ４：Ｎｏ）、トレイ制御手段３０３は、現在の用紙２０１よりも大きいサイズの用紙の給紙トレイ２０ａが存在するか否かをトレイ情報３１２を参照して判断する（Ｓ６）。
【００４５】
現在の用紙２０１よりも大きいサイズの用紙の給紙トレイ２０ａが存在する場合は（Ｓ６：Ｙｅｓ）、トレイ制御手段３０３は、対応する給紙トレイ２０ａから用紙を給紙するよう制御する（Ｓ７）。
【００４６】
図４は、現在の用紙２０１よりも大きいサイズの用紙をサンプルシート２０３として挿入した状態を示す図である。例えば、現在の用紙２０１がＡ４サイズで用紙２０１の向きがＬＥＦの場合に、サンプルシート２０３の用紙として、例えば、搬送方向Ａに直交する辺の長さがＡ４サイズの長辺と同じ長さで、搬送方向Ａの辺の長さがＡ４サイズの短辺よりも長い用紙が用いられる。印刷された用紙を排出先に集積したとき、サンプルシート２０３は、他の用紙２０１よりも搬送方向Ａに長いため、サンプルシート２０３の位置が分かる。
【００４７】
現在の用紙２０１よりも大きいサイズの用紙の給紙トレイ２０ａが存在しない場合は（Ｓ６：Ｎｏ）、図５に示す確認画面を表示して継続の有無を確認する（Ｓ８）。
【００４８】
図５は、確認画面の一例を示す図である。確認画面４０には、「サンプルシートをジョブと同一のトレイに排出します。よろしいですか？」のメッセージ４０ａと、「ＯＫ」ボタン４０ｂと、「キャンセル」ボタン４０ｃとが設けられている。
【００４９】
確認画面４０に対して「ＯＫ」ボタン４０ｂが操作されると（Ｓ８：Ｙｅｓ）、トレイ制御手段３０３は、印刷ジョブで指定されている給紙トレイ２０ａから用紙をサンプルシートとして給紙するよう制御する（Ｓ９）。
【００５０】
［第２の実施の形態］
第１の実施の形態では、印刷ジョブで設定されている用紙の排出先がトップトレイになっている場合は、印刷された用紙をトップトレイに集積したとき、サンプルシートが他の用紙よりもはみ出るように、用紙の向きや大きさを工夫したが、本実施の形態は、未使用のトップトレイを使用するようにしたものである。未使用のトップトレイとは、用紙が残っていないトレイをいう。以下、第１の実施の形態と異なる点を中心に説明する。
【００５１】
第２の実施の形態のトレイ制御手段３０３は、印刷ジョブで設定された排出先がトップトレイに設定されている場合は、サンプルシートを未使用のトップトレイに排出するよう制御し、未使用のトップトレイが存在しない場合は、ユーザに問い合わせてサンプルシートをユーザ指定のトレイに排出するよう制御する。
【００５２】
（第２の実施の形態の動作）
次に、第２の実施の形態に係る印刷システム１の動作の一例を図７〜図９を参照して説明する。図７、図８は、モニタ４Ａに表示される画面の一例を示す図である。図９は、プリントサーバ３の動作の一例を示すフローチャートである。
【００５３】
何らかの理由（故障、用紙切れ等）で印刷ジョブが一時停止した際に、プリントサーバ３の設定手段３０１は、サンプルプリントの設定を受け付ける。設定されたサンプルプリント設定情報３１２は、記憶部３１に記憶される。受付手段３０２は、モニタ４Ａにサンプルプリントの実行指示を受け付ける画面を表示する。
【００５４】
ユーザがモニタ４Ａに表示された画面に対し、入力デバイス４Ｂを操作してサンプルプリントの実行指示を行うと、受付手段３０２は、サンプルプリントの実行指示を受け付ける（Ｓ1１）。
【００５５】
トレイ制御手段３０３は、印刷ジョブで設定された排出先がトップトレイに設定されているか否かを印刷ジョブのヘッダ情報を参照して判断する（Ｓ１２）。トップトレイに設定されていなければ（Ｓ１２：Ｎｏ）、トレイ制御手段３０３は、サンプルシートをいずれかのトップトレイに排出するよう制御する。印刷ジョブで設定されている給紙トレイ２０ａからサンプルシートとして給紙された用紙は、確認ページが印刷され、サンプルシートの排出先としていずれかのトップトレイに排出される。
【００５６】
印刷ジョブで設定された排出先がトップトレイに設定されている場合は（Ｓ１２：Ｙｅｓ）、トレイ制御手段３０３は、未使用のトップトレイが存在するか否かを判断する（Ｓ１４）。すなわち、複数のトップトレイのうち用紙が排出されていない未使用のトップトレイが存在するか否かを判断する。
【００５７】
未使用のトップトレイが存在する場合は（Ｓ１４：Ｙｅｓ）、トレイ制御手段３０３は、当該未使用のトップトレイにサンプルシートを排出するよう制御する（Ｓ１５）。使用済みのトップトレイがあっても、サンプルシートを未使用のトップトレイから見つけることができる。
【００５８】
未使用のトップトレイが存在しない場合は（Ｓ１４：Ｎｏ）、図７に示すように、ユーザに排出先を問い合わせる（Ｓ１６）。
【００５９】
図７は、問合せ画面の一例を示す図である。問合せ画面４１には、「サンプルシートを排出できるトップトレイが存在しません。排出先を指定してください。」のメッセージ４１ａと、排出先を入力する入力欄４１ｂと、「ＯＫ」ボタン４１ｃと、「キャンセル」ボタン４１ｄとが設けられている。ユーザは、問合せ画面４１の入力欄４１ｂにプルダウンメニューから選択して排出先を入力し、「ＯＫ」ボタン４１ｃを操作して、排出先を指定する。
【００６０】
トレイ制御手段３０３は、ユーザにより指定された排出先にサンプルシートを排出するよう制御する（Ｓ１７）。
【００６１】
なお、後続の印刷ジョブを実行する際、後続の印刷ジョブで設定されている排出先がサンプルシートを排出したトップトレイと同じであって、サンプルシートが取り除かれていない場合は、トレイ制御手段３０３は、サンプルシートを取り除くこと指示する図８に示す警告画面をモニタ４Ａに表示する。サンプルシートが取り除かれていないことは、トップトレイに設けられた光学素子によって検出することができる。
【００６２】
図８は、警告画面の一例を示す図である。警告画面４２には、「サンプルシートを除去してください。」のメッセージ４２ａと、「ＯＫ」ボタン４２ｂとが設けられている。ユーザはサンプルシートを除去した後、「ＯＫ」ボタン４２ｂを操作することによりプリンタ制御部３０は、印刷ジョブの実行を再開するようプリンタ２を制御する。
【００６３】
なお、上記第２の実施の形態では、トップトレイを複数有する場合について説明したが、１つの場合も本発明を同様に適用することはできる。
【００６４】
（変形例１、２）
次に、変形例について説明する。サンプルプリントで使用するサンプルシートの排出先やサンプルシートの用紙の設定が要求された場合や、印刷ジョブの実行が一時停止した場合等に設定手段３０１が設定画面をモニタ４Ａに表示してサンプルプリント又はサンプルシートの設定をできるようにしてもよい。
【００６５】
図１０は、変形例１としてサンプルプリントの設定画面の一例を示す図である。同図に示すサンプルプリントの設定画面４３には、トップトレイへの排出時の設定として、「未使用のトップトレイへ切り替える」の項目４３ａと、「都度、排出先を問い合わせる」の項目４３ｂと、各項目４３ａ、４３ｂを選択するチェックボックス４３ｃと、設定内容を確定させるための「ＯＫ」ボタン４３ｄと、設定内容をキャンセルするための「キャンセル」ボタン４３ｅとが設けられている。
【００６６】
「未使用のトップトレイへ切り替える」の項目４３ａを選択して、「ＯＫ」ボタン４３ｄを操作すれば、トレイ制御手段３０３は、その設定内容をサンプルプリント設定情報３１２として記憶部３１に記憶する。以後、トレイ制御手段３０３は、サンプルシートを未使用のトップトレイに排出するよう制御する。
【００６７】
「都度、排出先を問い合わせる」の項目４３ｂを選択して、「ＯＫ」ボタン４３ｄを操作すると、トレイ制御手段３０３は、その設定内容をサンプルプリント設定情報３１２として記憶部３１に記憶する。以後、トレイ制御手段３０３は、サンプルプリントを行う際にユーザに排出先を問い合わせる画面をモニタ４Ａに表示し、ユーザにより指定された排出先にサンプルシートを排出するよう制御する。
【００６８】
両方の項目４３ａ、４３ｂが選択された場合は、トレイ制御手段３０３は、「未使用のトップトレイへ切り替える」の項目４３ａを優先するよう制御する。
【００６９】
図１１は、変形例２としてサンプルプリントの設定画面の一例を示す図である。同図に示すサンプルプリントの設定画面４４には、トップトレイへの排出時の設定として、「ＳＥＦ／ＬＥＦを切りかえた用紙を給紙する」の項目４４ａと、「大きいサイズの用紙を給紙する」の項目４４ｂと、各項目４４ａ、４４ｂを選択するチェックボックス４４ｃと、「大きいサイズの用紙を給紙する」の項目４４ｂを選択した場合の幅入力欄４４ｄ及び高さ入力欄４４ｅと、設定内容を確定させるための「ＯＫ」ボタン４４ｆと、設定内容をキャンセルするための「キャンセル」ボタン４４ｇとが設けられている。幅入力欄４４ｄ及び高さ入力欄４４ｅは、印刷ジョブで設定されている用紙のサイズよりも大きいサイズの値を入力する箇所であり、プルダウンメニューから数値を選択して入力できるようになっている。
【００７０】
「ＳＥＦ／ＬＥＦを切りかえた用紙を給紙する」の項目４４ａを選択して、「ＯＫ」ボタン４３ｄを操作すれば、トレイ制御手段３０３は、その設定内容をサンプルプリント設定情報３１２として記憶部３１に記憶する。以後、トレイ制御手段３０３は、印刷ジョブで設定された搬送方向に対する用紙の向きとは異なる向き（ＳＥＦ／ＬＥＦ）の用紙を給紙トレイ２０ａから給紙するよう制御する。
【００７１】
「大きいサイズの用紙を給紙する」の項目４４ｂを選択し、幅入力欄４４ｄ及び高さ入力欄４４ｅに値を入力して、「ＯＫ」ボタン４４ｆを操作すると、トレイ制御手段３０３は、その設定内容をサンプルプリント設定情報３１２として記憶部３１に記憶する。以後、トレイ制御手段３０３は、サンプルプリントを行う際にサンプルプリント設定情報３１２に従った用紙を給紙トレイ２０ａから給紙するよう制御する。
【００７２】
両方の項目４４ａ、４４ｂが選択された場合は、トレイ制御手段３０３は、「ＳＥＦ／ＬＥＦを切りかえた用紙を給紙する」の項目４４ａを優先するよう制御する。
【００７３】
（変形例３）
図１２は、変形例３としての警告画面の一例を示す図である。同図に示す警告画面４５には、「シートを排出するトレイが存在しないため、サンプルプリントを中止します。」のメッセージ４５ａと、「ＯＫ」ボタン４５ｂとが設けられている。図１０及び図１１に示す設定画面４３、４４に対して設定されていない場合は、トレイ制御手段３０３は、図１２に示す警告画面４５をモニタ４Ａに表示してもよい。
【００７４】
警告画面４５に対して、「ＯＫ」ボタン４５ｂが操作されると、プリンタ制御部３０は、サンプルプリントを実行しない。ユーザから印刷ジョブの再開の指示があれば、印刷ジョブを再開するようプリンタ２を制御する。
【００７５】
（変形例４）
プリンタ２には、印刷物の章や節の見出しを明確にする目的でインデックス紙（タブ紙とも称せられる。）を挿入する機能を有するものがある。このような場合に、インデックス紙の出力順序が狂うのを抑制するため、あるいは一般的な用紙よりも高価なインデックス紙の使用をできるだけ避けるため、確認ページを印刷する用紙がインデックス紙のように特定の紙種に設定されている場合は、サンプルシートに使用する用紙をユーザにより指定できるようにしてもよい。
【００７６】
図１３（ａ）は、インデックス紙の使用状態の一例を示す図である。インデックス紙２１０は、一部が突出したタブ部２１１を有している。タブ部２１１には、インデックス情報２１２が記録されている。インデックス情報２１２は、例えば、文字例、記号、図形等が使用される。インデックス紙２１０は、特定の紙種の一例である。タブ部２１１は、突出した一部の一例である。インデックス情報２１２は、一部に印刷する情報の一例である。
【００７７】
トレイ制御手段３０３は、サンプルシートの用紙が予め定められた特定の紙種の場合、サンプルシートの用紙の使用を禁止するよう制御するか、又は予め設定された他の紙種の用紙を用いるよう制御してもよい。特定の紙種には、例えば、インデックス紙、表面にコーティングが施されたコート紙、光沢紙等がある。
【００７８】
トレイ制御手段３０３は、特定の紙種がインデックス紙の場合、タブ部２１１に印刷するインデックス情報２１２を、特定の紙種以外の他の紙種の用紙、例えば、それまで使用していた用紙と同じサイズの図１３（ｂ）に示すサンプルシート２０４にインデックス情報２１２のみを印刷してよく、又はタブ部２１１を包含する大きさの図１３（ｃ）に示すサンプルシート２０５にインデックス紙２１０と同じ画像を印刷するよう制御してもよい。図１３（ｃ）に示すサンプルシート２０５の搬送方向Ａの長さは、図１３（ａ）に示すインデックス紙２１０の搬送方向Ａの最大長さと等しいか大きい長さを有する。図１３（ｂ）、（ｃ）の場合、インデックス情報２１２の搬送方向Ａに直交する方向の位置が本来の位置と同じにしているため、本来の位置とは無関係に固定の位置とするよりもインデックス情報２１２を認識しやすくなる。なお、図１３（ｃ）に示すサンプルシート２０５にインデックス情報２１２のみを印刷してもよい。
【００７９】
以上、本発明の実施の形態を説明したが、本発明の実施の形態は上記実施の形態に限定されるものではなく、本発明の要旨を変更しない範囲内で種々の変形、実施が可能である。例えば、プリントサーバ３が有する機能をコントローラとしてプリンタ２が有していてもよい。また、上記実施の形態では、何らかの理由（故障、用紙切れ等）で印刷ジョブが一時停止した際にサンプルプリントを行う場合について説明したが、本発明は印刷ジョブを停止せずに印刷ジョブの実行中にサンプルプリントを行う場合にも適用できる。具体的には、ＧＵＩのソフトウェアアイコン又は用紙の排出部近傍に配置されたハードウェアのボタンを押すことにより確認用のサンプルシートを排出するサンプルプリントを行う場合にも適用できる。
【００８０】
プリントサーバ３のプリンタ制御部３０は、それぞれ一部又は全部を再構成可能回路（ＦＰＧＡ：Field Programmable Gate Array）、特定用途向け集積回路（ＡＳＩＣ：Application Specific Integrated Circuit）等のハードウェア回路によって構成してもよい。
【００８１】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【００８２】
１…印刷システム、２…プリンタ、３…プリントサーバ、４…ユーザ表示部、４Ａ…モニタ、４Ｂ…入力デバイス、６…ＰＣ、７…ネットワーク、８…インターネット、９…ネットワーク、２０…給紙部、２０ａ…給紙トレイ、２１…印刷部、２２…後処理装置、２３Ａ、２３Ｂ…スタッカートレイ、２４Ａ、２４Ｂ…スタッカー排出トレイ、２５…フィニッシャートレイ、２６…フィニッシャー排出トレイ、２７…外部フィニッシャー、３０…プリンタ制御部、３１…記憶部、３２…ジョブ制御部、３３…画像処理部、３４…ビデオＩ／Ｆ、３５…入力Ｉ／Ｆ、３６Ａ、３６Ｂ…ネットワークＩ／Ｆ、４０…確認画面、４０ａ…メッセージ、４０ｂ…「ＯＫ」ボタン、４０ｃ…「キャンセル」ボタン、４１…画面、４１ａ…メッセージ、４１ｂ…入力欄、４１ｃ…「ＯＫ」ボタン、４１ｄ…「キャンセル」ボタン、４２…警告画面、４２ａ…メッセージ、４２ｂ…「ＯＫ」ボタン、４３…設定画面、４３ａ、４３ｂ…項目、４３ｃ…チェックボックス、４３ｄ…「ＯＫ」ボタン、４３ｅ…「キャンセル」ボタン、４４…設定画面、４４ａ、４４ｂ…項目、４４ｃ…チェックボックス、４４ｄ…幅入力欄、４４ｅ…高さ入力欄、４４ｆ…「ＯＫ」ボタン、４４ｇ…「キャンセル」ボタン、４５…警告画面、４５ａ…メッセージ、４５ｂ…「ＯＫ」ボタン、２０１…用紙、２０２、２０３、２０４、２０５…サンプルシート、２１０…インデックス紙、２１１…タブ部、２１２…インデックス情報、３０１…設定手段、３０２…受付手段、３０３…トレイ制御手段、３１０…プログラム、３１１…トレイ情報、３１２…サンプルプリント設定情報、Ａ…搬送方向
【図１】
2019096214.tif 000003
【図２】
2019096214.tif 000004
【図３】
2019096214.tif 000005
【図４】
2019096214.tif 000006
【図５】
2019096214.tif 000007
【図６】
2019096214.tif 000008
【図７】
2019096214.tif 000009
【図８】
2019096214.tif 000010
【図９】
2019096214.tif 000011
【図１０】
2019096214.tif 000012
【図１１】
2019096214.tif 000013
【図１２】
2019096214.tif 000014
【図１３】
2019096214.tif 000015